(57)【要約】      （修正有）【課題】静電場や光線を用いた育毛装置や美顔装置において、さらに高い美容効果と充分な安全性を備えた装置を提供する。【解決手段】人体の頭部または顔面の皮膚にパルス状静電場を印加するための複数の電極３，４，５，６，７と、かつ人体の頭部または顔面の皮膚に中心波長が６３０ｎｍから７００ｎｍの波長範囲の光を照射するための複数のＬＥＤ９とを備えてなることを特徴としている。【選択図】図１
2007090051.tif 000002
【特許請求の範囲】
【請求項１】
人体の頭部または顔面の皮膚にパルス状静電場を印加するための複数の電極と、かつ人体の頭部または顔面の皮膚に中心波長が６３０ｎｍから７００ｎｍの波長範囲の光を照射するための複数のＬＥＤとを備えてなる育毛または美顔のための装置。
【請求項２】
人体の頭部または顔面の皮膚に静電場とＬＥＤ光線とを照射することができ、支柱に旋回自在に軸支されたマスク状またはキャップ状の照射器からなり、
該マスク状またはキャップ状の照射器にパルス状静電場を印加するための複数の電極と、
中心波長が６３０ｎｍから７００ｎｍの波長範囲の光を照射するための複数のＬＥＤと
が設けられてなる
ことを特徴とする育毛または美顔のための装置。
【請求項３】
人体の頭部または顔面の皮膚に静電場とＬＥＤ光線とを照射することができるマスク状の照射器からなり、
該マスク状の照射器が、自在ジョイントによって頭部と顔面との間で照射位置を移動自在に支持され、
該マスク状の照射器にパルス状静電場を印加するための複数の電極と、
中心波長が６３０ｎｍから７００ｎｍの波長範囲の光を照射するための複数のＬＥＤと
が設けられてなる
ことを特徴とする育毛または美顔のための装置。
【発明の詳細な説明】
【技術分野】
【０００１】
本発明は、育毛または美顔のための装置に関し、とくに静電場およびＬＥＤ光を照射するものに関する。
【背景技術】
【０００２】
従来より、育毛や皮膚の美容上の目的で静電場やレーザ光を人体に照射する装置が開発されている。特許文献１には、育毛の目的で人体の頭皮にパルス電界を照射する「毛髪再成長方法およびその装置」が記載されている。特許文献２には、育毛の目的で頭皮にレーザ光を照射する「レーザトリートメント装置」が記載されている。
【０００３】
【特許文献１】特表平９−５０６００７号公報
【特許文献２】特開２００３−１４４５６１号公報
【発明の開示】
【発明が解決しようとする課題】
【０００４】
しかしながら、これらの従来技術には、さらに高い美容効果（組織の再生効果）と人体への施術上の負担の軽減が求められており、多くの改良研究がなされているのが実情である。
【０００５】
本発明は、静電場や光線を用いた育毛装置や美顔装置において、さらに高い美容効果と人体への施術上の負担を軽減した装置を提供することを目的とする。
【課題を解決するための手段】
【０００６】
本発明の育毛または美顔のための装置は、人体の頭部または顔面の皮膚にパルス状静電場を印加するための複数の電極と、中心波長が６３０ｎｍから７００ｎｍの波長範囲の光を照射するための複数のＬＥＤとを備えてなることを特徴としている。
【０００７】
また、本発明の育毛または美顔ための装置は、人体の頭部または顔面の皮膚に静電場とＬＥＤ光線とを照射することができ、支柱に旋回自在に軸支されたマスク状またはキャップ状の照射器からなり、
該マスク状またはキャップ状の照射器にパルス状静電場を印加するための複数の電極と、
中心波長が６３０ｎｍから７００ｎｍの波長範囲の光を照射するための複数のＬＥＤと
が設けられてなるようにすることもできる。
【０００８】
また、本発明の育毛または美顔ための装置は、人体の頭部または顔面の皮膚に静電場とＬＥＤ光とを照射することができるマスク状の照射器からなり、
該マスク状の照射器が、自在ジョイントによって頭部と顔面との間で照射位置を移動自在に支持され、
該マスク状の照射器にパルス状静電場を印加するための複数の電極と、
中心波長が６３０ｎｍから７００ｎｍの波長範囲の光を照射するための複数のＬＥＤと
が設けられてなるようすることもできる。
【発明の効果】
【０００９】
本発明によれば、静電場や光線を用いた育毛装置や美顔装置において、さらに高い美容効果と人体への施術上の負担を軽減した装置を提供することができる。
【発明を実施するための最良の形態】
【００１０】
本発明の基礎となる実験研究において、育毛や美顔に対して静電場と光線の併用、とくにＬＥＤ光の併用が極めて有効であることが認められた。この分野では光源としてレーザを使用する例が多いが、レーザの発光はコヒーレントな光ビームであるため、大出力の光ビームが直接人間の目に入った場合には危険性があり、またコヒーレント光であるために多数のレーザ素子を並列に駆動して大出力を得るためには特殊な位相整合技術を必要とする。また、育毛装置のように広い範囲を照射するためには光ビームを拡散するための光学系を別途必要とする。
【００１１】
ＬＥＤはレーザに比べて発光ビームに適当な広がりをもつため、適当な照射範囲を確保することが容易である。また、ＬＥＤの発光はコヒーレントな光ビームではなく、インコヒーレントな拡散光であるため、発光が直接人間の目に入った場合でも危険性がなく、多数のＬＥＤ素子を並列に駆動して大出力を得るためにも、位相整合の必要がない。また、ＬＥＤでは発光波長に幅があるため波長の選択の自由度が大きく、育毛や美顔に最適な波長の選択が容易である点でも有利である。
【００１２】
本発明においては、静電場とＬＥＤ光を併用することにより毛髪や皮膚の組織の再生効果が著しく高められることが認められた。また、静電場とＬＥＤ光をそれぞれ単独に用いる場合に比べて、静電場の強度とＬＥＤ光の強度を弱くしても、併用による組織再生効果の改善が得られることが確認された。静電場とＬＥＤ光の強度を弱められることは、それだけ利用者への施術上の負担を軽減できることになる。
【００１３】
ＬＥＤの波長については、６３０ｎｍ〜８００ｎｍの範囲が有効であることが認められたが、この範囲の波長の光は皮膚への浸透度が高く、毛髪を含む皮膚の再生の活性化の効果が大きいことによるものである。さらに有効な波長範囲について検討したところ、８００ｎｍの波長では人体への浸透深さが２５ｍｍから３５ｍｍにまで達することがわかった。このように浸透深さが深いと、光のエネルギーが不必要な深さにまで分散されて吸収されるため、光エネルギーの利用効率が低下するおそれがある。毛髪を含む皮膚の有効な深さである８ｍｍ〜１０ｍｍの範囲内で光のエネルギーを集中的に吸収させるためには中心波長が６３０ｎｍ〜７００ｎｍの範囲の波長が必要であることがわかり、今回の実験では、中心波長が６６０ｎｍのＬＥＤを使用した。
【００１４】
実施の形態１．
本実施の形態は、本発明者らにより、有効性が確認された静電場とＬＥＤ光の組み合わせを用いた育毛装置の一例である。図１（ａ）は、人体の頭部に静電場を照射するための電極とＬＥＤ光を照射するためのＬＥＤモジュールを搭載したキャップ状の照射器１を示している。このキャップ状の照射器１は、図２に示されるような、サロンやクリニックで使用されるヘアドライヤのフードのような外側容器２０の内側に納められ、人体の頭部に被せられて照射が行なわれる。
【００１５】
照射用キャップ２は絶縁性のプラスチックで作られ、電極３〜７がその外面に貼り付けられている。電極３〜７は同心円状の金属板からなり、この例では５枚の電極からなっているが、枚数については設計により増減してもよい。符号８は、光線照射用の複数のＬＥＤモジュールを示しており、キャップ１の内面にＬＥＤを内側に向けて固定されている。図１（ｂ）は、ＬＥＤモジュール８を単体として示しており、この例では、１つのモジュールに８個のＬＥＤが取り付けられている。ＬＥＤモジュールの配置は、キャップ２の内面の頭頂部に４個、前頭部に２個が配置されている。
【００１６】
電極３〜７には、数ボルト〜１００ボルト程度の、商業電源電圧を直流電圧に整流したパルス電圧が印加され、この電極電圧による電界が人体の頭部に作用する。電極３〜７は、人体の頭部に対してキャップ２の絶縁性プラスチックを隔てて電圧を印加するので、電極の電圧が直接人体の頭部に作用することはなく、静電容量を介した電界が作用する。
【００１７】
図３は、電極３〜７に印加する電圧を供給する電圧出力回路の例を示している。出力端子２１は図１（ａ）の電極３，５へ接続され、出力端子２２は電極７へ接続され、出力端子２３は、電極４，６へ接続される。
【００１８】
図４は、電極３〜７に印加される電圧波形の例を示している。図４の（ａ）は出力回路の出力極性が正の場合の電圧波形を示し、（ｂ）は負の場合を示し、（ｃ）は両極性の場合を示す。周期Ｔ１は０．０８秒（１２．５Ｈｚ）または０．０２秒（５０Ｈｚ）の２種類に切り替えが可能である。デューティーは５０％で正負対称としているが、電圧極性の効果に多様性を持たせるために、１０％または９０％のように非対称としてもよい。出力端子２２の出力電圧は端子２１と２３の中間の出力電位となり、３つの端子のなかでは最も接地電位に近く、この電位が最も外側の電極７に接続されている。これにより、照射器１の外部に照射される不必要な電界の強度を小さくしている。
【００１９】
つぎに、本実施の形態の育毛装置を用いて行った育毛効果の確認実験の結果を示す。確認実験は、無作為に選んだ、年齢２０代から５０代の４１人を対象に３０週間にわたって行った。対象者をＡ，Ｂ，Ｃの３グループにわけ、グループＡは、パルス静電場だけの効果を確認するためにパルス静電場のみを照射してＬＥＤ光の照射は行わず、グループＢは、パルス静電場とＬＥＤ光の両方を照射し、グループＣは静電場もＬＥＤ光も照射しなかった。照射の施術は１週間に２回の頻度で行い、１回の照射時間は５〜１０分であった。
【００２０】
毛髪の再生効果の確認は、直径３ｃｍの孔をあけた透明なプラスチック製のテンプレートを毎回頭部の同じ位置に置き、穴の範囲内に入る終末毛（成長サイクルを終了した太い毛）の数を３倍の拡大鏡を用いて測定することにより行った。その結果を表１に示す。表１に示すように、照射を行わないグループＣでは毛の本数の増加率は２．８％、静電場照射のみのグループＢでは３８．３％、静電場およびＬＥＤ光を照射したグループＡでは６５．３％であり、静電場照射とＬＥＤ光の照射を併用したグループＢの効果が極めて高いことがわかる。
【００２１】
【表１】
2007090051.tif 000003
【００２２】
実施の形態２．
本実施の形態は、本発明者らにより、育毛装置としての有効性が確認された静電場とＬＥＤ光の照射の組み合わせを、美顔装置に応用したものである。静電場とＬＥＤ光の照射の組み合わせは、皮膚組織の再生促進効果を有するため美顔装置としても有効であることが本発明者らにより確認され、美顔装置への応用を試みたものである。ただし、実施の形態１の育毛装置と照射機能部分の構成は同様なものであるため、育毛用と美顔用の兼用装置としても使用できるように考慮されている。
【００２３】
図５は、本実施の形態の育毛・美顔兼用装置を育毛装置として使用した場合の外観を示す図であり、図６は本実施の形態の育毛・美顔兼用装置を美顔装置として使用した場合の外観を示す図である。参照符号１０は実施の形態１に用いたものと同様な静電場およびＬＥＤ光線の照射機能を備え、頭部と顔面との間で照射位置を移動自在に支持されたマスク状の照射器を示し、参照符号１１は照射器１０を頭部と顔面との間で照射位置を移動自在に支持する自在ジョイントを示し、参照符号１２は、アイマスクを示す。アイマスク１２は、ＬＥＤを美顔用の目的で顔面の照射に用いる場合、使用者の目をまぶしさから保護するためのものである。図６の（ａ）は、照射器１０を美顔装置として使用する場合の利用者との位置関係の側面図を示し、図６の（ｂ）は正面図を示している。図７は照射器１０の形状を示す図であり、図７の（ａ）は上面図、（ｂ）は側面図、（ｃ）は側断面図を示す。図８は、支持機構１３を含めた本実施の形態の育毛・美顔兼用装置の全体図である。本実施例は図８に示すように小型に構成されているため、一般家庭でも使用できるものである。
【００２４】
図９は、本実施の形態にかかわる育毛・美顔兼用装置の変形例であり、育毛用として使用した状態を示す説明図であり、図１０は図９の育毛・美顔兼用装置を美顔用に使用した状態を示す説明図である。
【００２５】
図９、１０において、参照符号１３は支柱機構、１３ａは中空の支柱、１３ｂは支柱１３に入れ子式に挿入された支持パイプ、１３ｃはパイプ１３ｂを所望の高さに固定するための高さ調整ネジ、Ｂはマスク状の照射器１０を旋回自在に軸支するための軸である。このように図９、１０に示された育毛・美顔兼用装置の場合、照射器１０が支持パイプ１３ｂに設けられた軸Ｂの回りを旋回自在に軸支されている。
【００２６】
つぎに、本実施の形態の美顔装置を用いて行った美顔効果の確認実験の結果を示す。実験は２回にわたって行われ、１回目の実験は男性３人、女性５人、２回目の実験は男性３人、女性７人について行われた。２回の実験はそれぞれ３ヶ月ずつ行われ、照射の頻度は一回目は週に２回、２回目は２日に１回行った。１回の照射時間は１５分である。美顔効果の確認は、照射の施術者および職業フェイスエステシャンの２人を判定者とする目視検査によって行った。
【００２７】
実験の結果を表２に示す。表中、○印は大きく改善されたケースであり、判定者が２人とも改善を認めたもの、△印は少し改善されたケースであり、２人のうち１人が改善を認めたもの、×印は改善が認められなかったケースであり、２人とも改善をみとめなかったものを示す。表２に示すように、大きく改善されたケースは全体の６４％、少し改善されたケースは２５％、改善されなかったケースは１１％となっており、殆どのケースで改善がみられた。
【００２８】
【表２】
2007090051.tif 000004
【００２９】
図１１および１２は、本実施例の美顔装置を小型化し、一般家庭での利用をさらに容易にしたものを示す。図１１の（ａ）および（ｂ）は育毛用に使用した状態を示し、図１１の（ｃ）は美顔用に使用した状態を示し、図１２は支持機構を含めた育毛・美顔兼用装置の全体図を示している。図１１〜１２において、参照符号１４は、図７に示す照射器１０を小型化した照射器を示している。
【図面の簡単な説明】
【００３０】
【図１】本発明の一実施の形態にかかわる、人体の頭部に静電場を照射するための電極とＬＥＤ光を照射するためのＬＥＤモジュールを搭載したキャップ状の照射器を示す説明図である。
【図２】図１の照射器の使用状態を示す説明図である。
【図３】電極に印加する電圧を供給する電圧出力回路の例を示す説明図である。
【図４】電極に印加される電圧波形の例を示す説明図である。
【図５】本発明の他の実施の形態にかかわる育毛・美顔兼用装置を育毛装置として使用した場合の外観を示す図である。
【図６】図５の育毛・美顔兼用装置を美顔装置として使用した場合の外観を示す図である。
【図７】図５の育毛・美顔兼用装置の照射器を示す図である。
【図８】支持機構を含めた図５の育毛・美顔兼用装置の全体図である。
【図９】図５の育毛・美顔兼用装置の変形例であり、育毛用として使用した状態を示す説明図である。
【図１０】図９の育毛・美顔兼用装置を美顔用に使用した状態を示す説明図である。
【図１１】本発明のさらに他の実施の形態にかかわる育毛・美顔兼用装置の照射器を示す図である。
【図１２】支持機構を含めた図１１の育毛・美顔兼用装置の全体図である。
【符号の説明】
【００３１】
１  照射器
２  キャップ
３、４、５、６、７  電極
８      ＬＥＤモジュール
９      ＬＥＤ
１０    照射器
１１    自在ジョイント
１２    アイマスク
１３    支持機構
１３ａ  支柱
１３ｂ  支持パイプ
１３ｃ  高さ調整ネジ
１４    照射器
１５    自在ジョイント
１６    支持機構
２０    外側容器
Ｂ      軸
【図１】
2007090051.tif 000005
【図２】
2007090051.tif 000006
【図３】
2007090051.tif 000007
【図４】
2007090051.tif 000008
【図５】
2007090051.tif 000009
【図６】
2007090051.tif 000010
【図７】
2007090051.tif 000011
【図８】
2007090051.tif 000012
【図９】
2007090051.tif 000013
【図１０】
2007090051.tif 000014
【図１１】
2007090051.tif 000015
【図１２】
2007090051.tif 000016